(57)【要約】      （修正有）【課題】透明封筒に接着されている封止片の剥がす位置や方向を明確に表示することにより、開封部分が容易に視認しやすくなる透明封筒の封止構造を提供する。【解決手段】透過性の封筒本体２と、透過性の開口部３と、開口部３を封止する透過性の封止片４と、で構成される透明封筒の封止構造であって、前記封止片４を、着色剤を配合した接着剤１０にて接合する。また、前記接着剤１０にて、封止片４に図形や文字などさまざまな形状やデザインの表示部を形成しても良い。【選択図】図１
0003148630.tif 000002
【実用新案登録請求の範囲】
【請求項１】
透過性の封筒本体と、透過性の開口部と、開口部を封止する透過性の封止片と、で構成される透明封筒の封止構造において、
前記封止片を、着色剤を配合した接着剤にて接合したことを特徴とする透明封筒の封止構造。
【請求項２】
前記接着剤をベタ状に塗布した請求項１記載の透明封筒の封止構造。
【請求項３】
前記接着剤は、図形、模様、文字、数字等で表示される、単独または複数の表示部の組み合わせからなる請求項１に記載の透明封筒の封止構造。
【請求項４】
前記接着剤にて宣伝媒体を表示する請求項３記載の透明封筒の封止構造。
【請求項５】
前記接着剤にて抜き部を形成し、該抜き部にて表示部を設けた請求項１記載の透明封筒の封止構造。
【請求項６】
前記封止片にシール材を貼着した請求項１乃至５のうちいずれか１項に記載の透明封筒の封止構造。
【請求項７】
前記封止片に印刷を施した請求項１乃至５のうちいずれか１項に記載の透明封筒の封止構造。
【考案の詳細な説明】
【技術分野】
【０００１】  本考案は、透明封筒の開封部を的確に視認でき、容易に開封作業を行うことができる透明封筒の封止構造に関する。
【背景技術】
【０００２】  近日、封筒内の内容物を外部より確認できる透明封筒が汎用されている。一般的な透明封筒はプラスチックフィルム等の透明素材からなり、開封部分は透過性のホットメルトや接着剤等にて接着されている。【０００３】  しかし、開口部の封止部分が透明接着剤にて接着されていると、開封位置を明確に視認することができず開封に多く時間を要し、開封作業がとても煩わしくなるという問題があった。【０００４】  また従来より、表裏シートの少なくとも一方を透明に形成し、閉塞された開口端または他端の近傍に封筒開放用の切離用断続線を設けた封筒等の収納体がある（例えば特許文献１参照）。
上掲特許文献１の収納体は、封筒と、その内部に収納されるシート状収納体とよりなり、前記封筒は、これを形成する表裏シートの少なくとも一方が透明であり内部に前記シート状収納体を収納した後開口部を閉塞するように成されており、前記開口部近傍またはこれとは反対側の底部近傍において、幅方向の、切取り用断続線を表裏シートに貫通させてなり、前記断続線が封筒の閉塞された開口端近傍にある場合には、前記断続線より封筒の他端部までの距離が前記シート収納体より大きく、または、前記切取り線が前記封筒開口端とは反対側の端部の近傍にある場合には前記切取り線から前記開口端に至る距離が前記シート収納体の長さより大きく形成されていることを特徴とする。
【特許文献１】特開平８−１６９４５０号公報
【考案の開示】
【考案が解決しようとする課題】
【０００５】  しかしながら、上掲特許文献１の収納体は、切取り線を形成する工程が必要となり、製造面でコストアップに繋がるという問題があった。また、切取り線の位置を視認することが難しく、開封作業に煩わしい手間を要した。さらに、切り取った後の切取り片が紛失した場合、その後始末も面倒になるという欠点もあった。【０００６】  そこで本考案は上記の点に鑑み、透明封筒に接着されている封止片の剥がす位置や方向を明確に表示することにより、開封部分が容易に視認しやすくなる透明封筒の封止構造を提供することにある。
【解決を解決するための手段】
【０００７】  上記課題を解決するために本考案の透明封筒の封止構造は、
透過性の封筒本体と、透過性の開口部と、開口部を封止する透過性の封止片と、で構成される透明封筒の封止構造であって、
前記封止片を、着色剤を配合した接着剤にて接合したことを特徴とする。
【０００８】  また、前記接着剤をベタ状に塗布した。
【０００９】  また前記接着剤は、図形、模様、文字、数字等で表示される、単独または複数の表示部の組み合わせからなる。
【００１０】  また前記接着剤にて宣伝媒体を表示することができる。
【００１１】  また前記接着剤にて抜き部を形成し、該抜き部にて表示部を設けた。
【００１２】  また前記封止片にシール材を貼着してもよい。
【００１３】  さらに前記封止片に印刷を施してもよい。
【考案の効果】
【００１４】  透明封筒の封止片を、着色剤を配合した接着剤にて接合したことにより、透明封筒に接着されている封止片の剥がす位置を明確に表示することができ、透明封筒における開封作業を容易に、且つ迅速に行うことができる。
【００１５】  また前記接着剤は、図形、模様、文字、数字等で表示される、単独または複数の表示部の組み合わせからなるため、封止片の剥がす位置はもとより、剥がす方向まで明確に目視することができ、開封作業をより迅速に、且つより確実に行うことができる。
【００１６】  さらに、前記接着剤にて宣伝媒体を表示することで、企業名や商品名のピーアール活動を実施できる。
【考案を実施するための最良の形態】
【００１７】  以下、本考案の透明封筒の封止構造における実施の形態を図面に基づいて説明する。
図１は透明封筒の全体斜視図、図２は前記透明封筒の正面図、図３は開口部近傍の拡大断面図、図４乃至図１０は接着剤の他の好適例をそれぞれ表す。【００１８】  図１乃至図３に示す透明封筒１は、透過性の封筒本体２と、透過性の開口部３と、開口部３を封止する透過性の封止片４とで構成され、全体が透過性を有する状態に形成されている。また、前記透明封筒１は、プラスチックフィルム、ポリエチレン樹脂フィルム、ポリプロピレン樹脂フィルム、ポリエステル樹脂フィルム等の素材からなり、特に、透過性、強度、耐水性、製造コストを考慮した場合、プラスチックフィルムで形成することが望ましい。なお、前記透明封筒１は、汎用の定形郵便や定形外郵便はもとより、さまざまな大きさや形状からなる全ての封筒を含むものである。【００１９】  また特に、本考案の透明封筒の封止構造は、前記封止片４を、着色剤を配合した接着剤１０にて接合したことを特徴とする。前記接着剤１０は、ホットメルト接着材に、染料や顔料タイプの着色剤を適宜割合で配合して形成される。また前記接着剤１０の有する色彩やその透過率は、着色剤の種類や配合比率を適宜調節することにより、任意に変更することができる。なお、本考案の透明封筒の封止構造に使用される接着剤は、粘着性のあるインクを使用することも可能である。【００２０】  前記接着剤１０にて封止片４を接合することで、透明封筒１に接着されている封止片４の剥がす位置を明確に表示することができ、透明封筒における開封作業を容易に、且つ迅速に行うことができる。【００２１】  前記接着剤１０は、図示するように、封止片４のやや下方にベタ状に塗布されている。また前記接着剤１０を、封止片４近傍の封筒本体２側に塗布してもよい。なお、前記接着剤１０を塗布する幅や長さは、適宜変更できることは言うまでもない。【００２２】  他の好適例として、図４乃至図７に示すように、前記接着剤１０にて、封止片４にさまざまな形状やデザインの表示部１１を形成することができる。また前記表示部１１は、図形、模様、文字、数字等で表示される、単独または複数の表示部の組み合わせからなる。【００２３】  図４は、矢印を複数配列させた表示部１１ａを示す。図示する形状にて表示部１１ａを形成することで、封止片４の剥がす位置と方向を明確に視認することができる。【００２４】  図５は、星形状の表示部１１ｂを複数配列させた状態を示す。図示する形状に表示部１１ｂを形成することで、封止片４の剥がす位置を明確に視認することができるとともに、外観面における楽しさを醸し出すことができる。【００２５】  図６は、文字（ＯＰＥＮ）からなる表示部１１ｃを複数配列させた状態を示す。図示する状態に表示部１１ｃを形成することで、封止片４の剥がす位置を明確に視認することができ、また封止片４のイメージを高めることができる。【００２６】  また他の好適例として、図７に示すように、表示部１１ｄを宣伝媒体としてもよい。宣伝媒体とした表示部１１ｄを封止片４に設けたことで、開封の際、表示部１１ｄが必ず開封者の目に止まる。そのため、企業名や商品名のピーアール活動を実施することができる。【００２７】  また、接着剤１０を設けた部分は遮蔽もしくは半透明に、接着剤１０が���布されていない部分は透明状態となる。そのため、図８に示すように、接着剤１０を施さない抜き部１１ｅを形成し、その抜き部１１ｅで各種デザインや文字を形成することもできる。【００２８】  また他の好適例として、図９に示すように、封止片４に、不透過性のシール材１２を貼着してもよい。封止片４の一部に不透過性のシール材１２を貼着することで、開封部の位置を容易に視認できる。またシール材１２に文字１３（開け口）等を記載することで、より利便性が向上する。なお、不透過性のシール材１２を貼着する場合、接着剤は透過性、不透過性のどちらの接着剤を用いてもよい。【００２９】  また他の好適例として、封止片４に印刷部１４を施してもよい。封止片４の一部に直接印刷を施して印刷部１４を形成しても、開封部の位置を容易に視認できる。
【図面の簡単な説明】
【００３０】
【図１】透明封筒の全体斜視図である。
【図２】前記透明封筒の正面図である。
【図３】開口部近傍の拡大断面図である。
【図４】ベタ状に塗布した接着剤を示す。
【図５】矢印形状の表示部を形成した接着剤を示す。
【図６】星形状の表示部を形成した接着剤を示す。
【図７】文字の表示部を形成した接着剤を示す。
【図８】宣伝媒体の表示部を形成した接着剤を示す。
【図９】封止片に不透過性のシール材を貼着した状態を示す。
【図１０】封止片に印刷部を形成した状態を示す。
【符号の説明】
【００３１】１    透明封筒
２    封筒本体
３    開口部
４    封止片
１０  接着剤
１１  表示部
１２  シール材
１３  文字
１４  印刷部
【図１】
0003148630.tif 000003
【図２】
0003148630.tif 000004
【図３】
0003148630.tif 000005
【図４】
0003148630.tif 000006
【図５】
0003148630.tif 000007
【図６】
0003148630.tif 000008
【図７】
0003148630.tif 000009
【図８】
0003148630.tif 000010
【図９】
0003148630.tif 000011
【図１０】
0003148630.tif 000012